(57)【特許請求の範囲】
【請求項１】
上面に時計ガラスが装着された腕時計用ケースの外周面に装着されるカバーと、
前記腕時計用ケースの上面側に一部が位置し、他の一部が前記腕時計用ケースと前記カバーとの間に設けられた保護部材とを有し、
前記保護部材は、連続した１本又は複数の線状部材を屈曲形成してなり、この屈曲形成された角部は、前記カバーにより覆われていることを特徴とする腕時計の保護構造。
【請求項２】
前記保護部材の他の一部は、前記腕時計用ケースの下面または側面に係止されていることを特徴とする請求項１記載の腕時計の保護構造。
【請求項３】
上面に時計ガラスが装着された腕時計用ケースの外周面に装着されるカバーと、
前記腕時計用ケースの上面側に一部が位置し、他の一部が前記カバー内に設けられた保護部材とを有し、
前記保護部材は、連続した１本又は複数の線状部材を屈曲形成してなり、この屈曲形成された角部は、前記カバー内に位置することを特徴とする腕時計の保護構造。
【請求項４】
前記保護部材の他の一部は、前記カバーと一体成形もしくは一体的に設けられていることを特徴とする請求項３記載の腕時計の保護構造。
【請求項５】
前記保護部材は、前記時計ガラスの上面の配置位置に緩衝部材が設けられていることを特徴とする請求項１または３記載の腕時計の保護構造。
【請求項６】
上面に時計ガラスが装着された腕時計用ケースと、
この腕時計用ケースの外周面に装着されたカバーと、
前記腕時計用ケースの上面側に一部が位置し、他の一部が前記腕時計用ケースと前記カバーとの間に設けられた保護部材とを有し、
前記保護部材は、連続した１本又は複数の線状部材を屈曲形成してなり、この屈曲形成された角部は、前記カバーにより覆われていることを特徴とする腕時計。
【請求項７】
上面に時計ガラスが装着された腕時計用ケースと、
この腕時計用ケースの外周面に装着されたカバーと、
前記腕時計用ケースの上面側に一部が位置し、他の一部が前記カバー内に設けられた保護部材とを有し、
前記保護部材は、連続した１本又は複数の線状部材を屈曲形成してなり、この屈曲形成された角部は、前記カバー内に位置することを特徴とする腕時計。
【請求項８】
上面に時計ガラスが装着された腕時計用ケースの外周面に装着されるカバーと、
前記腕時計用ケースの上面側に一部が位置し、他の一部が前記腕時計用ケースと前記カバーとの間に設けられると共に連続した１本又は複数の線状部材を屈曲形成してなり、この屈曲形成された角部が、前記カバーにより覆われる保護部材と、
を備えたことを特徴とする腕時計保護装置。
【請求項９】
上面に時計ガラスが装着された腕時計用ケースの外周面に装着されるカバーと、
前記腕時計用ケースの上面側に一部が位置し、他の一部が前記カバー内に設けられると共に連続した１本又は複数の線状部材を屈曲形成してなり、この屈曲形成された角部が、前記カバー内に位置する保護部材と、
を備えたことを特徴とする腕時計保護装置。
【発明の詳細な説明】
【０００１】
【発明の属する技術分野】
この発明は、腕時計を保護する腕時計の保護構造、腕時計及び腕時計保護装置に関する。
【０００２】
【従来の技術】
従来、腕時計においては、腕に取り付けてスポーツや作業などをしているときに、腕時計を物にぶつけて時計ガラスを傷付けたり破損したりしないように、腕時計ケースに保護部材を取り付けたものがある。
このような腕時計の保護部材は、ワイヤなどの線状部材を屈曲させ、その一部を時計ガラスの上面に配置させて、他の一部を腕時計ケースの下面に係止させることにより、腕時計ケースに取り付けられている。この場合、腕時計ケースには、金属製の時計ケースのみからなるもの、あるいは腕時計用ケースの外周面にカバーを取り付けたものなどがあるが、いずれの場合にも最外周面、つまり金属製の時計ケースのみからなる腕時計ケースの場合は金属製の時計ケースの外周面、またカバーが取り付けられた腕時計ケースの場合にはカバーの外周面に保護部材が取り付けられている。
【０００３】
【発明が解決しようとする課題】
しかしながら、このような腕時計の保護構造では、腕時計ケースの最外周面に保護部材が取り付けられているため、保護部材が傷付きやすく、塗装を施した保護部材では塗装が剥がれ、外観的に好ましくないという問題がある。
また、このような保護構造では、保護部材が腕時計ケースの最外周面にあるため、スポーツなどをしているときに保護部材の角部が物や体に当たりやすく、物や体を傷付けることがあるという問題もある。
【０００４】
この発明の課題は、保護部材が傷付きにくく、かつ保護部材によって物や体を傷付けないようにすることである。
【０００５】
【課題を解決するための手段】
以上の課題を解決するために、請求項１に記載の発明における腕時計の保護構造は、上面に時計ガラスが装着された腕時計用ケース（例えば、図１〜８の腕時計用ケース２）の外周面に装着されるカバー（例えば、図１，２、８のカバー３）と、前記腕時計用ケースの上面側に一部が位置し、他の一部が前記腕時計用ケースと前記カバーとの間に設けられた保護部材（例えば、図１〜３の保護部材４，図５、６の保護部材２０、図７，８の保護部材３０）とを有し、前記保護部材は、連続した１本又は複数の線状部材を屈曲形成してなり、この屈曲形成された角部（例えば、図２（B）の角部４ｄ）は、前記カバーにより覆われていることを特徴とする。
また、請求項２に記載の発明は、請求項１に記載の発明における腕時計の保護構造において、前記保護部材の他の一部は、前記腕時計用ケースの下面または側面に係止されていることを特徴とする。
また、請求項３に記載の発明における腕時計の保護構造は、上面に時計ガラスが装着された腕時計用ケース（例えば、図１０の腕時計用ケース２）の外周面に装着されるカバー（例えば、図１０のカバー３）と、前記腕時計用ケースの上面側に一部が位置し、他の一部が前記カバー内に設けられた保護部材（例えば、図１０の保護部材４０）とを有し、前記保護部材は、連続した１本又は複数の線状部材を屈曲形成してなり、この屈曲形成された角部（例えば、図１０の角部４０ｄ）は、前記カバー内に位置することを特徴とする。
また、請求項４に記載の発明は、請求項３に記載の発明における腕時計の保護構造において、前記保護部材の他の一部は、前記カバーと一体成形もしくは一体的に設けられている（例えば、図１０の保護部材４０）ことを特徴とする。
また、請求項５に記載の発明は、請求項１または３に記載の発明における腕時計の保護構造において、前記保護部材は、前記時計ガラスの上面の配置位置に緩衝部材（例えば、図１、３，５，１０の緩衝部材１１）が設けられていることを特徴とする。
また、請求項６に記載の発明における腕時計は、上面に時計ガラスが装着された腕時計用ケース（例えば、図１〜８の腕時計用ケース２）と、この腕時計用ケースの外周面に装着されたカバー（例えば、図１，２、８のカバー３）と、前記腕時計用ケースの上面側に一部が位置し、他の一部が前記腕時計用ケースと前記カバーとの間に設けられた保護部材（例えば、図１〜３の保護部材４，図５、６の保護部材２０、図７，８の保護部材３０）とを有し、前記保護部材は、連続した１本又は複数の線状部材を屈曲形成してなり、この屈曲形成された角部（例えば、図２（B）の角部４ｄ）は、前記カバーにより覆われていることを特徴とする。
また、請求項７に記載の発明における腕時計は、上面に時計ガラスが装着された腕時計用ケース（例えば、図１０の腕時計用ケース２）と、この腕時計用ケースの外周面に装着されたカバー（例えば、図１０のカバー３）と、前記腕時計用ケースの上面側に一部が位置し、他の一部が前記カバー内に設けられた保護部材（例えば、図１０の保護部材４０）とを有し、前記保護部材は、連続した１本又は複数の線状部材を屈曲形成してなり、この屈曲形成された角部（例えば、図１０の角部４０ｄ）は、前記カバー内に位置することを特徴とする。
更に、請求項８に記載の発明における腕時計保護装置は、上面に時計ガラスが装着された腕時計用ケース（例えば、図１〜８の腕時計用ケース２）の外周面に装着されるカバー（例えば、図１，２、８のカバー３）と、前記腕時計用ケースの上面側に一部が位置し、他の一部が前記腕時計用ケースと前記カバーとの間に設けられると共に連続した１本又は複数の線状部材を屈曲形成してなり、この屈曲形成された角部（例えば、図２（B）の角部４ｄ）が、前記カバーにより覆われる保護部材とを備えたことを特徴とする。
更に、請求項９に記載の発明における腕時計保護装置は、上面に時計ガラスが装着された腕時計用ケース（例えば、図１０の腕時計用ケース２）の外周面に装着されるカバー（例えば、図１０のカバー３）と、前記腕時計用ケースの上面側に一部が位置し、他の一部が前記カバー内に設けられると共に連続した１本又は複数の線状部材を屈曲形成してなり、この屈曲形成された角部（例えば、図１０の角部４０ｄ）が、前記カバー内に位置する保護部材とを備えたことを特徴とする。
【０００６】
【発明の実施の形態】
［第１実施形態］
以下、図１〜図４を参照して、この発明の腕時計の保護構造の第１実施形態について説明する。
図１は腕時計の正面図であり、図２（Ａ）は腕時計の組付け手順を示す要部断面図であり、図２（Ｂ）は図１のＡ−Ａ断面図である。
この腕時計は、時計ガラス１が装着された腕時計用ケース２の外周面にカバー３が取付けられ、時計ガラス１の上面側に保護部材４の一部が位置した状態で保護部材４の他の一部が腕時計用ケース２とカバー３との間に設けられた構成になっている。
この場合、腕時計用ケース２は、金属または合成樹脂からなっている。この腕時計用ケース２の上部には、図２（Ｂ）に示すように、時計ガラス１がパッキン５を介して装着されており、その内部には時計モジュール６が収納されている。また、腕時計用ケース２の下面には、金属製の裏蓋７が防水リング８を介してビス９（図４参照）によって取り付けられている。なお、腕時計用ケース２の上面における周縁部には、合成樹脂製の化粧部材１０が両面接着テープなどによって取り付けられている。
【０００７】
保護部材４は、図３および図４に示すように、ワイヤなどの連続した１本の線状部材を屈曲形成したものであり、その一部つまり上部４ａが時計ガラス１の上面側に配置され、他の一部つまり側部４ｂと下部４ｃのうち、側部４ｂが腕時計用ケース２上の化粧部材１０上から腕時計用ケース２の側面に沿って折り曲げられ、下部４ｃが腕時計用ケース２の下面に配置されるように屈曲された構成になっている。この場合、保護部材４の上部４ａは、時計ガラス１の上面における「１２時」および「６時」の位置に配置されており、この上部４ａには、ウレタンゴムなどからなる緩衝部材１１が設けられている。
【０００８】
カバー３は、合成樹脂からなり、腕時計用ケース２の外周面に装着し、ビス１２によって腕時計用ケース２に固定されている。この場合、腕時計用ケース２が装着するカバー３の内面には、腕時計用ケース２の側面に位置する保護部材４の側部４ｂを収納する収納凹部３ａが設けられている。また、保護部材４の各側部４ｂに対応するカバー３の上面には、保護部材４の上部４ａよりも高く盛り上がった突出部３ｂが設けられている。
なお、裏蓋７は、その縁部を除く円形部７ａが腕時計用ケース２の下面よりも下方に突出しているとともに、腕時計用ケース２の下面に位置する保護部材４の下部４ｃよりも下方に位置している。
また、保護部材４の上部４ａと側部４ｂとの間の角部４ｄは、カバー３に覆われている。
【０００９】
このような構成の腕時計は、図２（Ａ）〜図２（Ｂ）に示す手順で組付けられて完成される。
すなわち、図２（Ａ）に示すように、上面に時計ガラス１を有する腕時計用ケース２の外面に、前記時計ガラス１又は腕時計用ケース２を保護するための保護部材４を装着し、前記保護部材を保護するためのカバー３を、前記腕時計用ケースの外周面に装着して完成される。
より具体的に述べれば、保護部材４の上部４ａを時計ガラス１の上面の「１２時」と「６時」の位置に配置し、下部４ｃを腕時計用ケース２の下面に係止させることにより、保護部材４を腕時計用ケース２に取付け、この状態でカバー３の内面に設けられた収納凹部３ａに保護部材４の側部４ｂを収納するように、カバー３を腕時計用ケース２の外周面に装着し、このカバー３をビス１２によって腕時計用ケース２に固定することにより、完成される。
【００１０】
このように、この腕時計の保護構造では、保護部材４の上部４ａが時計ガラス１の上面に配置され、保護部材４の側部４ｂが腕時計用ケース２とカバー３との間に配置されているので、カバー３によって保護部材４の側部４ｂが覆われることになり、このため保護部材４が傷付きにくく、しかも腕時計を腕に装着してスポーツなどをしているときに腕時計を物や体にぶつけても、保護部材４の上部４ａと側部４ｂとの間の角部４ｄが物や体に当たることがないので、保護部材４によって物や体を傷付けることがない。特に、保護部材４の上部４ａには、ウレタンゴムなどからなる緩衝部材１１が設けられているので、保護部材４の露出部分が少なくなり、保護部材４が傷付きにくい。また、カバー３の上面には、保護部材４の上部４ａよりも高く盛り上がった突出部３ｂが設けられているので、保護部材４の上部４ａと側部４ｂとの間の角部４ｄが物や体に当たるのを確実に防ぐことができる。
また、上面に時計ガラス１を有する腕時計用ケース２に、まず保護部材４を取付け、次にカバー３をその外周面に装着しているので、簡単に腕時計を組立て、完成することができる。
【００１１】
［第２実施形態］
次に、図５および図６を参照して、この発明の腕時計の保護構造の第２実施形態について説明する。なお、図１〜図４に示された第１実施形態と同一部分には同一符号を付し、その説明は省略する。
この腕時計は、第１実施形態と同様、時計ガラス１が装着された腕時計用ケース２の外周面にカバー３が取り付けられ、時計ガラス１の上面側に保護部材２０の一部が配置された状態で保護部材２０の他の一部が腕時計用ケース２とカバー３との間に取り付けられた構成になっている。
【００１２】
すなわち、腕時計用ケース２の側面には、保護部材２０の各端部を係止する係止孔２１が、ほぼ「１時」と「２時」の間、ほぼ「１０時」と「１１時」の間、ほぼ「４時」と「５時」の間、およびほぼ「７時」と「８時」の間に位置する４か所に設けられている。保護部材２０は、ワイヤなどの２本の線状部材からなり、それぞれほぼ「コ」字状に折り曲げられ、その各一部つまり各中間部２０ａが時計ガラス１の上面における「１２時」と「６時」の位置に配置され、その各他の一部つまり両側部２０ｂが腕時計用ケース２の上面の周縁部上に設けられた化粧部材１０上から腕時計用ケース２の側面に沿って折り曲げられ、その各先端部２０ｃが腕時計用ケース２の側面に設けられた係止孔２１にそれぞれ挿入されて係止されることにより、腕時計用ケース２に取り付けられるように構成されている。この場合、保護部材２０の中間部２０ａには、第１実施形態と同様、ウレタンゴムなどからなる緩衝部材１１が設けられている。
【００１３】
このような腕時計の保護構造では、保護部材２０の各中間部２０ａを時計ガラス１の上面の「１２時」と「６時」の位置に配置し、各両側部２０ｂの先端部２０ｃを腕時計用ケース２の側面に設けられた係止孔２１に係止させることにより、保護部材２０を腕時計用ケース２に取り付け、この状態でカバー３を第１実施形態と同様に腕時計用ケース２の外周面に装着し、このカバー３をビス１２によって腕時計用ケース２に固定することにより、簡単に保護部材２０を組付けることができる。
このように、この腕時計の保護構造では、第１実施形態と同様の効果があるほか、特に「１２時」と「６時」とに位置する２つの保護部材２０の各色をそれぞれ異なる色にすれば、デザイン的なバリエーションが豊富になる。
【００１４】
［第３実施形態］
次に、図７〜図９を参照して、この発明の腕時計の保護構造の第３実施形態について説明する。この場合にも、図１〜図４に示された第１実施形態と同一部分には同一符号を付し、その説明は省略する。
この腕時計は、第１実施形態と同様、時計ガラス１が装着された腕時計用ケース２の外周面にカバー３が取り付けられ、腕時計用ケース２の上面側に保護部材３０の一部が配置された状態で保護部材３０の他の一部が腕時計用ケース２とカバー３との間に取り付けられた構成になっている。
【００１５】
すなわち、腕時計用ケース２の下面における周縁部には、保護部材３０の各端部を係止する係止溝３１が、第２実施形態と同様、ほぼ「１時」と「２時」の間、ほぼ「１０時」と「１１時」の間、ほぼ「４時」と「５時」の間、およびほぼ「７時」と「８時」の間に位置する４か所、あるいは全周に亘って設けられている。保護部材３０は、ワイヤなどの２本の線状部材からなり、図９（ａ）に示すように、それぞれほぼ「コ」字状に折り曲げられ、その各一部つまり各中間部３０ａが腕時計用ケース２の上面の周縁部上に設けられた化粧部材１０における「３時」と「９時」の位置に配置され、その各他の一部つまり両側部３０ｂが腕時計用ケース２の化粧部材１０上から腕時計用ケース２の側面に沿って折り曲げられ、その各先端部３０ｃが腕時計用ケース２の側面に設けられた係止溝３１にそれぞれ係止され、これにより腕時計用ケース２に取り付けられるように構成されている。この場合、保護部材３０の各中間部３０ａは、図７および図９（ｂ）に示すように、常に化粧部材１０上に位置するように、湾曲形成されている。
【００１６】
このような腕時計の保護構造では、保護部材３０の各中間部３０ａを時計ガラス１の上面の「３時」と「９時」の位置に配置し、各両側部３０ｂの先端部３０ｃを腕時計用ケース２の下面の周縁部に設けられた係止溝３１に係止させることにより、保護部材３０を腕時計用ケース２に取り付け、この状態でカバー３を第１実施形態と同様に腕時計用ケース２の外周面に装着し、このカバー３をビス１２によって腕時計用ケース２に固定することにより、簡単に保護部材３０を組付けることができる。
このように、この腕時計の保護構造では、第１実施形態と同様の効果があるほか、特に第２実施形態と同様、「３時」と「９時」とに位置する２つの保護部材３０の各色をそれぞれ異なる色にすれば、デザイン的なバリエーションが豊富になる。
【００１７】
［第４実施形態］
次に、図１０を参照して、この発明の腕時計と、この腕時計に装着される腕時計保護装置との実施形態について説明する。この場合にも、図１〜図４に示された第１実施形態と同一部分には同一符号を付し、その説明は省略する。
この腕時計の場合は、時計ガラス１が装着された腕時計用ケース２の外周面に、時計ガラス１又は腕時計用ケース２を保護するための保護部材４０の他の一部が一体成形又は一体的に設けられたカバー３を装着して構成されるようになっている。
【００１８】
また、この実施形態の場合、保護部材４０は、ワイヤなどの２本の線状部材からなり、それぞれほぼ「コ」字状に折り曲げられ、その各一部つまり各中間部４０ａが時計ガラス１の上面における「１２時」と「６時」の位置に配置され、その各他の一部つまり両端部４０ｂ及び、中間部４０ａと両端部４０ｂとの間の角部４０ｄがカバー３内に埋め込まれた状態でカバー３に一体に設けられ、これにより、腕時計保護装置を構成するようになっている。この場合、保護部材４０の中間部４０ａには、第１実施形態と同様、ウレタンゴムなどからなる緩衝部材１１が設けられている。
【００１９】
このような構成の腕時計は、図１０（Ａ）〜図１０（Ｂ）に示す手順で組付けられて完成される。
すなわち、まず、保護部材４０とカバー３を一体成形もしくは一体的に設けることにより、腕時計保護装置を完成する。次に、このカバー３を、時計ガラス１が取付けられた腕時計ケース２の外周面に、上から装着して完成される。
このようにして構成された腕時計及び腕時計保護装置によれば、第１実施形態と同様の効果があるほか、保護部材４０がカバー３と一体成形又は一体的に設けられているので、腕時計用ケース２の外周面にカバー３を装着するだけで、極めて簡単に腕時計を組立てることができる。
【００２０】
【発明の効果】
以上説明したように、請求項１に記載の発明によれば、保護部材の一部が時計ガラスの上面に配置され、保護部材の他の一部が腕時計用ケースとカバーとの間に設けられると共に、角部がカバーにより覆われているので、カバーによって保護部材の他の一部及び角部が覆われることとなる。これにより、保護部材が傷付きにくく、しかも腕時計を腕に装着してスポーツなどをしているときに腕時計を物や体にぶつけても、保護部材の角部が物や体に当たることがないので、保護部材によって物や体を傷付けることがない。
また、請求項２に記載の発明によれば、請求項１に記載の発明における腕時計の保護構造と同様の効果を奏すると共に、保護部材の他の一部を腕時計用ケースの下面または側面に係止するようにしたので、簡単に保護部材を組付けることができる。
請求項３に記載の発明によれば、保護部材の一部が時計ガラスの上面に配置され、保護部材の他の一部がカバー内に設けられると共に、角部がカバー内に位置するので、カバーによって保護部材の他の一部及び角部が覆われることとなる。これにより、保護部材が傷付きにくく、しかも腕時計を腕に装着してスポーツなどをしているときに腕時計を物や体にぶつけても、保護部材の角部が物や体に当たることがないので、保護部材によって物や体を傷付けることがない。
また、請求項４に記載の発明によれば、請求項３に記載の発明における腕時計の保護構造と同様の効果を奏すると共に、保護部材の他の一部をカバーと一体成形もしくは一体的に設けることにより、腕時計を構成する一つのユニットとして腕時計ケースとは別に一体成形又は一体的に設けておき、最終組立工程で、腕時計ケースに装着することにより、組立工程を効率的に実行することができる、
また、請求項５に記載の発明によれば、請求項１または請求項３に記載の発明における腕時計の保護構造と同様の効果を奏すると共に、保護部材の時計ガラス上面の配置位置に緩衝部材を設けることにより、保護部材の露出部分が少なくなり保護部材に傷がつきにくくなる。
また、請求項６または請求項７に記載の発明によれば、上面に時計ガラスが装着された腕時計用ケースと、この腕時計用ケースの外周面に装着されたカバーと、腕時計用ケースの上面側に一部が位置し他の一部が腕時計用ケースとカバーとの間、又はカバー内に設けられ、連続した１本又は複数の線状部材を屈曲形成してなり、この屈曲形成された角部が、カバー内に位置するか若しくはこのカバーにより覆われる保護部材とから腕時計を構成することができる。これにより、保護部材が傷付きにくく、しかも腕時計を腕に装着してスポーツなどをしているときに腕時計を物や体にぶつけても保護部材の角部が物や体に当たることがないので、保護部材によって物や体を傷付けることがない腕時計を提供することができる。
更に、請求項８または請求項９に記載の発明によれば、上面に時計ガラスが装着された腕時計用ケースの外周面に装着されるカバーと、腕時計用ケースの上面側に一部が位置し他の一部が腕時計用ケースとカバーとの間、又はカバー内に設けられると共に連続した１本又は複数の線状部材を屈曲形成してなり、この屈曲形成された角部が、カバー内に位置するか若しくはこのカバーにより覆われる保護部材とを備えているので、保護部材が傷付きにくく、しかも腕時計を腕に装着してスポーツなどをしているときに腕時計を物や体にぶつけても保護部材の角部が物や体に当たることがないので、保護部材によって物や体を傷付けることがない腕時計保護装置を提供することができる。
【図面の簡単な説明】
【図１】この発明の腕時計の第１実施形態の正面図。
【図２】（Ａ）は腕時計の組付け手順を示す要部断面図で、（Ｂ）は図１のＡ−Ａ断面図。
【図３】図１の腕時計用ケースからカバーを取り外した状態の正面図。
【図４】図３の裏面図。
【図５】この発明の腕時計の第２実施形態を示し、腕時計用ケースからカバーを取り外した状態の正面図。
【図６】図５の側面図。
【図７】この発明の腕時計の第３実施形態を示し、腕時計用ケースからカバーを取り外した状態の正面図。
【図８】図７のＢ−Ｂ断面図。
【図９】図７の保護部材を示し、（ａ）はその側面図、（ｂ）はその正面図。
【図１０】（Ａ）はこの発明の腕時計の他の組付け手順を示す要部断面図、（Ｂ）はこの発明の別の実施形態として示した要部の断面図。
【符号の説明】
１  時計ガラス
２  腕時計用ケース
３  カバー
４、２０、３０、４０  保護部材
４ａ  保護部材の上部
４ｂ  保護部材の側部
４ｃ  保護部材の下部
４ｄ  保護部材の角部
２０ａ、３０ａ、４０ａ  保護部材の中間部
２０ｂ、３０ｂ、４０ｂ  保護部材の両端部
４０ｄ  保護部材の角部
【図１】
0003721708.tif 000002
【図２】
0003721708.tif 000003
【図３】
0003721708.tif 000004
【図４】
0003721708.tif 000005
【図５】
0003721708.tif 000006
【図６】
0003721708.tif 000007
【図７】
0003721708.tif 000008
【図８】
0003721708.tif 000009
【図９】
0003721708.tif 000010
【図１０】
0003721708.tif 000011